(57)【要約】【課題】電子機器間において、外部環境やデバイス環境の影響が少なく、簡単な操作で確実に無線接続を行うことができるようにする。【解決手段】撮像装置１Ａにおいて、第１の生成部１０９ａは、通信制御情報を規定するための鍵情報を生成し、表示パネル１０５ａは、生成された鍵情報を表示する。また、第２の生成部１０９ｂは、生成された鍵情報から通信制御情報を生成する。撮像装置１Ｂにおいて、撮像装置１Ａの表示パネル１０５ａに表示された鍵情報が操作入力部１０７により入力されると、復元部１１０ａは、入力された鍵情報から通信制御情報を生成し、無線処理部１０８は、生成された通信制御情報を用いて撮像装置１Ａに接続要求を行う。撮像装置１Ａにおいて、接続許可部１０８ａは、撮像装置１Ｂからの通信制御情報が第２の生成部１０９ｂにおいて生成されたものと一致した場合に接続を許可する。【選択図】図４
2014049920.tif 000002
【特許請求の範囲】
【請求項１】
第１の電子機器と第２の電子機器が無線により直接接続を行う無線接続システムであって、
前記第１の電子機器は、
通信制御情報を規定するための情報であり、前記第２の電子機器における任意の操作により入力が可能な、文字、符号、図形、記号又はそれらの組み合わせにより構成される鍵情報を生成する第１の生成手段と、
前記第１の生成手段によって生成された鍵情報を出力する出力手段と、
前記通信制御情報と一致する情報に基づいて接続要求が行われた場合に、接続を許可する接続許可手段と、
を備え、
前記第２の電子機器は、
任意の操作により情報を入力する入力手段と、
前記第１の電子機器の出力手段により出力された鍵情報と同じ情報の入力を、前記入力手段による任意の操作入力により検出する入力検出手段と、
前記入力検出手段により入力検出された情報から前記鍵情報により規定された通信制御情報を復元する復元手段と、
前記復元手段によって復元された通信制御情報を用いて前記第１の電子機器に接続要求を行う接続要求手段と、
を備えることを特徴とする無線接続システム。
【請求項２】
前記出力手段は、表示手段を含むことを特徴とする請求項１に記載の無線接続システム。
【請求項３】
前記第１の電子機器は、前記第１の生成手段によって生成された鍵情報から通信制御情報を生成する第２の生成手段を備えることを特徴とする請求項１又は２に記載の無線接続システム。
【請求項４】
前記通信制御情報には、前記第１の電子機器と前記第２の電子機器で共有する共有情報が含まれることを特徴とする請求項１乃至３の何れか一項に記載の無線接続システム。
【請求項５】
前記通信制御情報には、前記第１の電子機器を識別するための第１の識別情報と前記第２の電子機器を識別するための第２の識別情報との少なくとも一方が含まれることを特徴とする請求項１乃至４の何れか一項に記載の無線接続システム。
【請求項６】
前記第１の生成手段は、予め複数種類用意された情報の中から無作為に選択することにより、前記通信制御情報を規定するための鍵情報を生成することを特徴とする請求項１乃至５の何れか一項に記載の無線接続システム。
【請求項７】
外部電子機器と無線により直接接続を行う電子機器であって、
通信制御情報を規定するための情報であり、前記外部通信機器における任意の操作により入力が可能な、文字、符号、図形、記号又はそれらの組み合わせにより構成される鍵情報を生成する第１の生成手段と、
前記第１の生成手段によって生成された鍵情報を出力する出力手段と、
前記外部電子機器から前記通信制御情報と一致する情報に基づいて接続要求が行われた場合に、接続を許可する接続許可手段と、
を備えることを特徴とする電子機器。
【請求項８】
前記第１の生成手段によって生成された鍵情報から通信制御情報を生成する第２の生成手段を備えることを特徴とする請求項７に記載の電子機器。
【請求項９】
前記第１の生成手段は、予め複数種類用意された情報の中から無作為に選択することにより、前記通信制御情報を規定するための鍵情報を生成することを特徴とする請求項７又は８に記載の電子機器。
【請求項１０】
第１の電子機器と第２の電子機器が無線により直接接続を行う無線接続方法であって、
前記第１の電子機器は、
通信制御情報を規定するための情報であり、前記第２の電子機器における任意の操作により入力が可能な、文字、符号、図形、記号又はそれらの組み合わせにより構成される鍵情報を生成する生成ステップと、
この生成ステップにて生成された鍵情報を出力する出力ステップと、
を含み、
前記第２の電子機器は、
前記第１の電子機器により出力された鍵情報と同じ情報の入力を、入力手段による任意の操作入力により検出する入力検出ステップと、
この入力検出ステップにて入力が検出された情報から前記鍵情報により規定された通信制御情報へ復元する復元ステップと、
この復元ステップにて復元された通信制御情報を用いて前記第１の電子機器に接続要求を行う接続要求ステップと、
を含み、
更に前記第１の電子機器は、
前記鍵情報により規定された通信制御情報と一致する情報に基づいて接続要求が行われた場合に、接続を許可する許可ステップ、
を含むことを特徴とする無線接続方法。  
【請求項１１】
外部電子機器と無線により直接接続を行う電子機器における無線接続方法であって、
通信制御情報を規定するための情報であり、前記外部電子機器における任意の操作により入力が可能な、文字、符号、図形、記号又はそれらの組み合わせにより構成される鍵情報を生成する生成ステップと、
この生成ステップにて生成された鍵情報を出力する出力ステップと、
前記外部電子機器から前記通信制御情報と一致する情報に基づいて接続要求が行われた場合に、前記外部電子機器の接続を許可する許可ステップと、
を含むことを特徴とする無線接続方法。
【請求項１２】
外部電子機器と無線により直接接続を行う電子機器に用いられるコンピュータを、
通信制御情報を規定する情報であり、前記外部電子機器における任意の操作により入力が可能な、文字、符号、図形、記号又はそれらの組み合わせにより構成される鍵情報を生成する生成手段、
前記生成手段によって生成された鍵情報を出力手段に出力させる出力制御手段、
前記外部電子機器から前記通信制御情報と一致する情報に基づいて接続要求が行われた場合に、前記外部電子機器の接続を許可する接続許可手段、
として機能させることを特徴とするプログラム。
【発明の詳細な説明】
【技術分野】
【０００１】
本発明は、無線接続システム、電子機器、無線接続方法及びプログラムに関する。
【背景技術】
【０００２】
従来、無線インフラを利用し、直接的又は外部ネットワークを介して間接的に端末装置間で情報通信するシステムが存在する。  
このようなシステムにおいては、混信の防止または情報漏えいを防ぐべく、各端末装置に設定された固有の情報を交換し、接続を確立するものが一般的である。固有の情報とは、例えば、端末装置を特定する識別情報の他、パスワード、認証情報、暗号化キー等の二者間の共有情報が挙げられる。
【０００３】
このようなシステムに用いられる端末装置は、原則的にキーボードを備え、任意の文字列が入力可能なようにキーボードが備えられているものが殆どであるが、昨今、そのようなデバイスを備えていない携帯端末やデジタルカメラ等の電子機器において、接続（認証）時の複雑なデータ入力処理を軽減する技術が提案されている。
【０００４】
例えば、特許文献１には、接続に必要な情報を二次元バーコードに変換して表示部に表示し、これを、接続を要求するデジタルカメラで読み取らせ、接続を確立する技術が記載されている。
【先行技術文献】
【特許文献】
【０００５】
【特許文献１】特開２００９−１４１４７２号公報
【発明の概要】
【発明が解決しようとする課題】
【０００６】
しかしながら、特許文献１においては、二次元バーコードを撮像させるという技術を用いるが故、読み取りが成功するか否かは外部環境（明るさ）、表示デバイスの能力（解像度等）、及び、撮像デバイスの能力に影響され易い。
従って、接続（認証）にかかる情報入力の軽減にはなるものの、確実性に乏しいという問題があった。
【０００７】
本願発明はこのような問題点に鑑みてなされたものであり、電子機器間において、外部環境やデバイス環境の影響が少なく、簡単な操作で確実に無線接続を行うことができるようにすることを目的とする。
【課題を解決するための手段】
【０００８】
上記課題を解決するため、本発明に係る無線接続システムは、
第１の電子機器と第２の電子機器が無線により直接接続を行う無線接続システムであって、
前記第１の電子機器は、
通信制御情報を規定するための情報であり、前記第２の電子機器における任意の操作により入力が可能な、文字、符号、図形、記号又はそれらの組み合わせにより構成される鍵情報を生成する第１の生成手段と、
前記第１の生成手段によって生成された鍵情報を出力する出力手段と、
前記通信制御情報と一致する情報に基づいて接続要求が行われた場合に、接続を許可する接続許可手段と、
を備え、
前記第２の電子機器は、
任意の操作により情報を入力する入力手段と、
前記第１の電子機器の出力手段により出力された鍵情報と同じ情報の入力を、前記入力手段による任意の操作入力により検出する入力検出手段と、
前記入力検出手段により入力検出された情報から前記鍵情報により規定された通信制御情報を復元する復元手段と、
前記復元手段によって復元された通信制御情報を用いて前記第１の電子機器に接続要求を行う接続要求手段と、
を備えることを特徴としている。
【０００９】
本発明に係る電子機器は、
外部電子機器と無線により直接接続を行う電子機器であって、
通信制御情報を規定するための情報であり、前記外部通信機器における任意の操作により入力が可能な、文字、符号、図形、記号又はそれらの組み合わせにより構成される鍵情報を生成する第１の生成手段と、
前記第１の生成手段によって生成された鍵情報を出力する出力手段と、
前記外部電子機器から前記通信制御情報と一致する情報に基づいて接続要求が行われた場合に、接続を許可する接続許可手段と、
を備えることを特徴としている。
【００１０】
本発明に係る無線接続方法は、
第１の電子機器と第２の電子機器が無線により直接接続を行う無線接続方法であって、
前記第１の電子機器は、
通信制御情報を規定するための情報であり、前記第２の電子機器における任意の操作により入力が可能な、文字、符号、図形、記号又はそれらの組み合わせにより構成される鍵情報を生成する生成ステップと、
この生成ステップにて生成された鍵情報を出力する出力ステップと、
を含み、
前記第２の電子機器は、
前記第１の電子機器により出力された鍵情報と同じ情報の入力を、入力手段による任意の操作入力により検出する入力検出ステップと、
この入力検出ステップにて入力が検出された情報から前記鍵情報により規定された通信制御情報へ復元する復元ステップと、
この復元ステップにて復元された通信制御情報を用いて前記第１の電子機器に接続要求を行う接続要求ステップと、
を含み、
更に前記第１の電子機器は、
前記鍵情報により規定された通信制御情報と一致する情報に基づいて接続要求が行われた場合に、接続を許可する許可ステップ、
を含むことを特徴としている。  
【００１１】
本発明に係る無線接続方法は、
外部電子機器と無線により直接接続を行う電子機器における無線接続方法であって、
通信制御情報を規定するための情報であり、前記外部電子機器における任意の操作により入力が可能な、文字、符号、図形、記号又はそれらの組み合わせにより構成される鍵情報を生成する生成ステップと、
この生成ステップにて生成された鍵情報を出力する出力ステップと、
前記外部電子機器から前記通信制御情報と一致する情報に基づいて接続要求が行われた場合に、前記外部電子機器の接続を許可する許可ステップと、
を含むことを特徴としている。
【００１２】
本発明に係るプログラムは、
外部電子機器と無線により直接接続を行う電子機器に用いられるコンピュータを、
通信制御情報を規定する情報であり、前記外部電子機器における任意の操作により入力が可能な、文字、符号、図形、記号又はそれらの組み合わせにより構成される鍵情報を生成する生成手段、
前記生成手段によって生成された鍵情報を出力手段に出力させる出力制御手段、
前記外部電子機器から前記通信制御情報と一致する情報に基づいて接続要求が行われた場合に、前記外部電子機器の接続を許可する接続許可手段、
として機能させることを特徴としている。
【発明の効果】
【００１３】
本発明によれば、電子機器間において、外部環境やデバイス環境の影響が少なく、簡単な操作で確実に無線接続を行うことが可能となる。
【図面の簡単な説明】
【００１４】
【図１】本実施形態における無線接続システムの全体構成例を示す図である。
【図２】図１の撮像装置の機能的構成を示すブロック図である。
【図３】鍵情報の一例を示すとともに、鍵情報から通信制御情報を生成するアルゴリズムを説明するための図である。
【図４】データの送信側となる撮像装置において、中央制御部１０１の制御下において実行される送信側処理を示すフローチャートである。
【図５】データの受信側となる撮像装置において、中央制御部１０１の制御下において実行される受信側処理を示すフローチャートである。
【図６】鍵情報表示画面の一例を示す図である。
【図７】鍵情報入力画面の一例を示す図である。
【発明を実施するための形態】
【００１５】
以下に、本発明について、図面を用いて具体的な実施形態を説明する。ただし、発明の範囲は、図示例に限定されない。
【００１６】
図１は、本実施形態の無線接続システム１００の概略構成を示す図である。
図１に示すように、本実施形態の無線接続システム１００は、撮像装置１（１Ａ）と、撮像装置１（１Ｂ）とが無線により情報通信可能に直接接続される。
なお、１Ａ、１Ｂは撮像装置１の固体を識別するために付した符号であり、それぞれ以下に説明する撮像装置１の構成を有し、撮像装置１の動作を実行するものである。
【００１７】
まず、撮像装置１について、図２を参照して説明する。
図２は、撮像装置１の概略構成を示すブロック図である。
図２に示すように、撮像装置１は、中央制御部１０１と、メモリ１０２と、撮像部１０３と、画像データ処理部１０４と、表示部１０５と、記録媒体制御部１０６と、操作入力部１０７と、無線処理部１０８と、送信側処理部１０９と、受信側処理部１１０とを備えている。
また、中央制御部１０１、メモリ１０２、撮像部１０３、画像データ処理部１０４、表示部１０５、記録媒体制御部１０６、無線処理部１０８、送信側処理部１０９及び受信側処理部１１０は、バスライン１１１を介して接続されている。
【００１８】
中央制御部１０１は、撮像装置１の各部を制御するものである。具体的には、中央制御部１０１は、図示は省略するが、ＣＰＵ（Central Processing Unit）、ＲＡＭ（Random Access Memory）、ＲＯＭ（Read Only Memory）を備え、撮像装置１用の各種処理プログラム（図示略）に従って各種の制御動作を行う。
【００１９】
メモリ１０２は、例えば、ＤＲＡＭ（Dynamic Random Access Memory）等により構成され、中央制御部１０１の他、当該撮像装置１の各部によって処理されるデータ等を一時的に記憶するものである。
【００２０】
撮像部１０３は、被写体を撮像する。具体的には、撮像部１０３は、レンズ部１０３ａと、電子撮像部１０３ｂと、撮像制御部１０３ｃとを備えている。
【００２１】
レンズ部１０３ａは、例えば、ズームレンズやフォーカスレンズ等の複数のレンズから構成されている。
電子撮像部１０３ｂは、例えば、ＣＣＤ（Charge Coupled Device）やＣＭＯＳ（Complementary Metal-oxide Semiconductor）等のイメージセンサから構成され、レンズ部１０３ａの各種レンズを通過した光学像を二次元の画像信号に変換する。
なお、図示は省略するが、撮像部１０３は、レンズ部１０３ａを通過する光の量を調整する絞りを備えていても良い。
【００２２】
撮像制御部１０３ｃは、撮像部１０３による被写体の撮像を制御する。即ち、撮像制御部１０３ｃは、図示は省略するが、タイミング発生器、ドライバなどを備えている。そして、撮像制御部１０３ｃは、タイミング発生器、ドライバにより電子撮像部１０３ｂを走査駆動して、所定周期毎にレンズ部１０３ａにより結像された光学像を電子撮像部１０３ｂにより二次元の画像信号に変換させ、当該電子撮像部１０３ｂの撮像領域から１画面分ずつフレーム画像を読み出して画像データ処理部１０４に出力させる。
【００２３】
画像データ処理部１０４は、被写体の画像データを生成する。
即ち、画像データ処理部１０４は、撮像部１０３により撮像されるフレーム画像を逐次処理する。具体的には、画像データ処理部１０４は、電子撮像部１０３ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。そして、画像データ処理部１０４は、生成された所定の解像度の画像データをメモリ１０２に出力する。
【００２４】
また、画像を記録する際には、画像データ処理部１０４は、被写体のＹＵＶデータを所定の符号化方式（例えば、ＪＰＥＧ形式、モーションＪＰＥＧ形式、ＭＰＥＧ形式等）に従って圧縮して、記録媒体制御部１０６に出力する。
また、画像を再生表示する場合には、画像データ処理部１０４は、記録媒体制御部１０６により記録媒体Ｍから読み出された表示対象に係る静止画像や動画像の画像データを対応する所定の符号化方式に従って復号して、表示制御部１０５ｂに出力する。このとき、画像データ処理部１０４は、読み出された画像データを、例えば、表示パネル１０５ａの表示解像度等に基づいて所定サイズ（例えば、ＶＧＡやＱＶＧＡサイズ）に縮小して表示制御部１０５ｂに出力しても良い。
【００２５】
表示部１０５は、表示パネル１０５ａと、表示制御部１０５ｂとを具備している。
表示パネル１０５ａは、表示領域内に画像を表示する。また、表示パネル１０５ａとしては、例えば、液晶表示パネルや有機ＥＬ表示パネルなどが挙げられるが、一例であってこれらに限られるものではない。
【００２６】
表示制御部１０５ｂは、記録媒体Ｍから読み出され画像データ処理部１０４により復号された所定サイズの画像データに基づいて、所定の画像を表示パネル１０５ａの表示画面に表示させる制御を行う。具体的には、表示制御部１０５ｂは、ＶＲＡＭ（Video Random Access Memory）、ＶＲＡＭコントローラ、デジタルビデオエンコーダなどを備えている。そして、デジタルビデオエンコーダは、画像データ処理部１０４により復号されてＶＲＡＭ（図示略）に記憶されている輝度信号Ｙ及び色差信号Ｃｂ，Ｃｒを、ＶＲＡＭコントローラを介してＶＲＡＭから所定の再生フレームレート（例えば、６０ｆｐｓ）で読み出して、これらのデータを元にビデオ信号を発生して表示パネル１０５ａに出力する。
また、表示制御部１０５ｂは、第１の生成部１０９ａから出力された鍵情報を表示パネル１０５ａに表示する制御を行う。
【００２７】
記録媒体制御部１０６は、例えば、不揮発性メモリ（フラッシュメモリ）等の記録媒体Ｍが着脱自在に構成され、装着された記録媒体Ｍからのデータの読み出しや記録媒体Ｍに対するデータの書き込みを制御する。
即ち、記録媒体制御部１０６は、画像データ処理部１０４の符号化部（図示略）により所定の圧縮形式（例えば、ＪＰＥＧ形式、モーションＪＰＥＧ形式、ＭＰＥＧ形式等）で符号化された記録用の画像データを記録媒体Ｍの所定の記録領域に記録させる。
なお、記録媒体Ｍは、例えば、不揮発性メモリ（フラッシュメモリ）等により構成されている。
【００２８】
操作入力部１０７は、ユーザが当該撮像装置１に所定操作を行うためのものである。具体的には、操作入力部１０７は、例えば、装置本体の電源のＯＮ／ＯＦＦに係る電源ボタン、被写体の撮像指示に係るシャッタボタン、撮像モードや機能等の選択指示に係る選択決定ボタン、ズーム量の調整指示に係るズームボタン（何れも図示略）等の操作部を備えている。そして、操作入力部１０７は、ユーザによる操作部の各ボタンの所定操作に応じて所定の操作信号を中央制御部１０１に入力する。
また、操作入力部１０７は、表示パネル１０５ａの上面を覆うように透明電極を格子状に配置した感圧式（抵抗膜圧式）のタッチパネルを有し、手指やタッチペン等によるタッチ操作を検出し、タッチ操作された位置の位置情報を中央制御部１０１に入力する。なお、タッチパネルは、感圧式に限らず、他の静電容量式、光学式等であってもよい。
【００２９】
無線処理部１０８は、無線ＬＡＮ（Local Area Network）等の所定の無線通信回線を介して接続された他の撮像装置１等の外部電子機器との情報の通信制御を行う。
例えば、無線処理部１０８は、無線ＬＡＮモジュール等により構成されている。具体的には、無線処理部１０８は、例えば、外部のアクセスポイント（固定基地局）を経由せずに直接外部電子機器との間で無線通信回線を構築するPeer to Peer（アドホックモード）で動作する。
【００３０】
無線処理部１０８は、接続許可部１０８ａ及び接続要求部１０８ｂを備えている。接続許可部１０８ａは、撮像装置１（自装置）がアクセスポイントとして機能するストレージサーバとして動作中に外部電子機器（例えば図１において、自装置が撮像装置１Ａの場合、外部電子機器は撮像装置１Ｂ）から接続要求が行われた場合に、外部電子機器から送信される通信制御情報と、予め無線処理部１０８に設定された通信制御情報とが一致するか否かを判断し、一致したと判断した場合にその外部電子機器との接続を許可する。
【００３１】
ここで、通信制御情報は、無線ＬＡＮ等のアドホックモードにより電子機器間で無線接続を確立する際に必要となる情報であり、少なくとも第１の識別情報、第２の識別情報、及び共有情報を含む。第１の識別情報は、アクセスポイントとして動作する電子機器を識別するための識別情報である。第２の識別情報は、アクセスポイントとして動作する電子機器に接続を許可されている電子機器を識別するための識別情報である。共有情報は、無線接続する電子機器間で共有する共有情報、例えば、パスワードや暗号キー等である。本実施形態においては、通信制御情報を第１の識別情報、第２の識別情報、及び共有情報の３つの情報とし、第１の識別情報をＳＳＩＤ（Service Set Identifier）、第２の識別情報をレシーバＩＤ、共有情報をＫｅｙとして説明する。
【００３２】
接続要求部１０８ｂは、復元部１１０ａから出力された通信制御情報を用いて外部電子機器（撮像装置）に対して接続要求を行う。
なお、無線処理部１０８は、例えば、記録媒体Ｍに内蔵された構成であっても良いし、当該装置本体に所定のインタフェース（例えば、ＵＳＢ（Universal Serial Bus）等）を介して接続された構成であっても良い。
【００３３】
送信側処理部１０９は、撮像装置１（自装置）がデータ送信側（自身が移動可能な、画像データのストレージサーバ）として動作するときに各種処理を行う処理部であり、第１の生成部１０９ａ、第２の生成部１０９ｂ、通信制御情報設定部１０９ｃを備えている。送信側処理部１０９の各部は、例えば、所定のロジック回路から構成されているが、当該構成は一例であってこれに限られるものではない。
【００３４】
第１の生成部１０９ａは、通信制御情報を規定するための鍵情報を生成する。本実施形態においては、第１の生成部１０９ａは、０〜９の数字の中からランダムに４つの数字を選択することにより鍵情報を生成し、生成した鍵情報を表示部１０５及び第２の生成部１０９ｂに出力する。図３に、鍵情報の一例を示す。図３に示す鍵情報「４２７２」の最上位の１桁は、ＳＳＩＤを規定するための鍵情報である。鍵情報の中央の２桁は、Ｋｅｙを規定するための鍵情報である。鍵情報の最下位の１桁は、レシーバＩＤを規定するための鍵情報である。
【００３５】
第２の生成部１０９ｂは、第１の生成部１０９ａにより生成された鍵情報から通信制御情報であるＳＳＩＤ、Ｋｅｙ、レシーバＩＤを生成し、通信制御情報設定部１０９ｃに出力する。
ここで、図３を参照して、第２の生成部１０９ｂにおけるＳＳＩＤ、Ｋｅｙ、レシーバＩＤの生成アルゴリズムの一例について説明する。
本実施形態において、第２の生成部１０９ｂは、上位１１桁に予め定められた固定文字列を配置し、続いて、鍵情報の最上位１桁の数字を配置し、続いて下位９桁に予め定められた固定文字列を配置してＳＳＩＤを生成する。生成されたＳＳＩＤは、図３に示すように、鍵情報の最上位の１桁の数字を所定の位置に含む多数文字列となる。
また、第２の生成部１０９ｂは、鍵情報の中央２桁の上位桁の数字に対応する文字列を変換テーブル１０９１から読み出し、下位桁の数字とアンダーバーで結合してＫｅｙを生成する。生成されたＫｅｙは、図３に示すように、鍵情報の中央２桁のうち、上位桁の数字に予め対応付けられた文字列及び下位桁の数字を含む多数文字列となる。なお、変換テーブル１０９１は、第２の生成部１０９ｂ内の図示しないメモリに記憶されている。
また、第２の生成部１０９ｂは、上位９桁に予め定められた固定文字列を配置し、続いて、最下位１桁に鍵情報の最下位１桁の数字を配置してレシーバＩＤを生成する。生成されたレシーバＩＤは、図３に示すように、鍵情報の最下位の１桁の数字を所定の位置に含む多数文字列となる。
このように、第２の生成部１０９ｂは、１桁又は２桁の鍵情報から、多数の文字を含む文字列により構成されるＳＳＩＤ、Ｋｅｙ、レシーバＩＤを生成することができる。
【００３６】
通信制御情報設定部１０９ｃは、第２の生成部１０９ｂから出力された通信制御情報を無線処理部１０８に設定する。これにより、無線処理部１０８はアクセスポイントとして動作する。  
【００３７】
受信側処理部１１０は、撮像装置１がデータ受信側、つまり、ストレージサーバにアクセスし閲覧やダウンロードする側として動作するときに各種処理を行う処理部であり、復元部１１０ａを備えている。受信側処理部１１０の各部は、例えば、所定のロジック回路から構成されているが、当該構成は一例であってこれに限られるものではない。
【００３８】
復元部１１０ａは、鍵情報入力画面Ｇ２（図７参照）において操作入力部１０７から入力された鍵情報から、ストレージサーバ兼アクセスポイントとして動作する（データ送信側として動作する）撮像装置１の通信制御情報を復元する。なお、復元部１１０ａの復元アルゴリズムは、第２の生成部１０９ｂにおける生成アルゴリズムと同じである。
【００３９】
次に、本実施形態の無線接続システム１００を構成する撮像装置１（１Ａ、１Ｂ）において無線によりデータを送受信する際の動作について、図４及び図５を参照して説明する。なお、図４の処理フローは、撮像装置１がデータ送信側、つまりストレージサーバとして機能する場合に、中央制御部１０１の制御下において実行される処理である。図５の処理フローは、撮像装置１がデータ受信側、つまり、ストレージサーバにアクセスし、画像データの閲覧やダウンロードをする端末として機能する場合に、中央制御部１０１の制御下において実行される処理である。
【００４０】
まず、図４に示す送信側の処理について説明する。この送信側の処理は、操作入力部１０７からの鍵情報生成指示に応じて実行される。
まず、第１の生成部１０９ａは、受信側の撮像装置１等の外部電子機器と通信を確立するために必要な通信制御情報を規定するための鍵情報を生成する（ステップＳ１）。ステップＳ１において、第１の生成部１０９ａは、上述のように、０〜９の数字の中からランダムに４つの数字を選択して並べることにより鍵情報を生成し、表示部１０５の表示制御部１０５ｂ及び第２の生成部１０９ｂに出力する。
【００４１】
鍵情報が生成されると、表示部１０５の表示制御部１０５ｂは、表示パネル１０５ａに鍵情報を表示させる（ステップＳ２）。
図６に、ステップＳ２において表示パネル１０５ａに表示される鍵情報表示画面Ｇ１の一例を示す。図６に示すように、鍵情報表示画面Ｇ１には、「この鍵情報を設定してください」等のメッセージＭ１と、鍵情報Ｋ１とが表示される。
このように、表示パネル１０５ａに表示された鍵情報表示画面Ｇ１をデータ受信側となる撮像装置１等の外部電子機器のユーザに提示することで、鍵情報をデータ受信側の外部電子機器のユーザに直接伝えることができる。
【００４２】
一方、第２の生成部１０９ｂは、第１の生成部１０９ａにより生成された鍵情報に基づいて、通信制御情報であるＳＳＩＤ、Ｋｅｙ、レシーバＩＤを生成し、通信制御情報設定部１０９ｃに出力する（ステップＳ３）。
【００４３】
通信制御情報設定部１０９ｃは、第２の生成部１０９ｂにより生成された通信制御情報、即ち、ＳＳＩＤ、Ｋｅｙ、レシーバＩＤを無線処理部１０８に設定する（ステップＳ４）。これにより、撮像装置１は、ストレージサーバ兼アクセスポイントとして動作することが可能となる。
【００４４】
通信制御情報が設定されると、無線処理部１０８は、ＳＳＩＤを発信（ブロードキャスト）し（ステップＳ５）、接続要求を待機する。
【００４５】
無線処理部１０８は、外部電子機器からの接続要求を受信すると（ステップＳ６；ＹＥＳ）、接続許可部１０８ａにより、外部電子機器から送信されたＳＳＩＤが無線処理部１０８に設定されているものと一致するか否かを判断する（ステップＳ７）。外部電子機器から送信されたＳＳＩＤが無線処理部１０８に設定されているものと一致しないと判断した場合（ステップＳ７；ＮＯ）、接続許可部１０８ａは、接続要求を行った外部電子機器に接続拒否を行い（ステップＳ９）、ステップＳ５に戻る。
【００４６】
接続許可部１０８ａは、外部電子機器から送信されたＳＳＩＤが無線処理部１０８に設定されているものと一致すると判断した場合（ステップＳ７；ＹＥＳ）、外部電子機器から送信されたＫｅｙが無線処理部１０８に設定されているものと一致するか否かを判断する（ステップＳ８）。外部電子機器から送信されたＫｅｙが無線処理部１０８に設定されているものと一致しないと判断した場合（ステップＳ８；ＮＯ）、接続許可部１０８ａは接続要求を行った外部電子機器に接続拒否を行い（ステップＳ９）、ステップＳ５に戻る。
【００４７】
一方、接続許可部１０８ａは、外部電子機器から送信されたＫｅｙが無線処理部１０８に設定されているものと一致すると判断した場合（ステップＳ８；ＹＥＳ）、接続を要求した外部電子機器との接続を確立する（ステップＳ１０）。
【００４８】
次いで、無線処理部１０８は、接続要求を行った外部電子機器からのレシーバＩＤの受信を待機し、レシーバＩＤを受信すると（ステップＳ１１；ＹＥＳ）、接続許可部１０８ａにより、受信したレシーバＩＤが無線処理部１０８に設定されているものと一致しているか否かを判断する（ステップＳ１２）。受信したレシーバＩＤが無線処理部１０８に設定されているものと一致していないと判断した場合（ステップＳ１２；ＮＯ）、接続許可部１０８ａは、接続の切断処理を行う（ステップＳ１６）。
受信したレシーバＩＤが無線処理部１０８に設定されているものと一致していると判断した場合（ステップＳ１２；ＹＥＳ）、接続許可部１０８ａは、接続許可通知を接続要求元の外部電子機器に送信する（ステップＳ１３）。
【００４９】
操作入力部１０７により、あるいは、外部電子機器からの要求により送信対象のデータ（ここでは、記録媒体Ｍに記憶されている画像データとする）が指定されると、記録媒体制御部１０６は、記録媒体Ｍから該当する画像データを読み出す（ステップＳ１４）。無線処理部１０８は、読み出された画像データを接続要求元の外部機器に送信する（ステップＳ１５）。そして、一定の時間が経過したか、切断要求を受けると切断処理を行う（ステップＳ１６）。切断処理後、操作入力部１０７から、あるいは、外部電子機器からの要求により通信制御情報の設定の解除指示の入力操作が検出されると、無線処理部１０８における通信制御情報の設定は解除される。これにより、ストレージサーバ兼アクセスポイントとしての動作モードは解除される。
【００５０】
次に、図５に示す受信側の処理について説明する。この受信側の処理は、操作入力部１０７からの鍵情報入力指示に応じて実行される。
【００５１】
まず、表示部１０５の表示制御部１０５ｂは、表示パネル１０５ａに鍵情報を入力するための鍵情報入力画面Ｇ２を表示させる（ステップＳ２１）。
図７に、ステップＳ２１において表示パネル１０５ａに表示される鍵情報入力画面Ｇ２の一例を示す。図７に示すように、鍵情報入力画面Ｇ２には、「相手の画面の鍵情報を入力してください」等のメッセージＭ２と、矢印キーの押下により４桁の鍵情報を入力するための入力欄Ｒ１が表示されている。入力欄Ｒ１の各桁の欄がタッチ操作されると、上下に矢印キーが表示される。ユーザは矢印キーをタッチして簡単に各桁の鍵情報を入力することができる。
操作入力部１０７のタッチパネルは、タッチ操作毎に、操作された位置情報を検出して中央制御部１０１に入力する。中央制御部１０１は操作入力部１０７から検出された位置情報が矢印キーの位置である場合に、そのタッチ操作回数をカウントし、入力された鍵情報を特定する。
【００５２】
操作入力部１０７のタッチパネルにより鍵情報入力画面Ｇ２からの鍵情報の入力操作が検出されると、中央制御部１０１は、入力された鍵情報を特定し復元部１１０ａに出力する（ステップＳ２２）。復元部１１０ａは、検出された鍵情報に基づいて、通信制御情報であるＳＳＩＤ、Ｋｅｙ、レシーバＩＤを復元し、無線処理部１０８に出力する（ステップＳ２３）。ステップＳ２３における処理は、ステップＳ３と同じであるので説明を援用する。
【００５３】
通信制御情報が復元されると、無線処理部１０８は、復元されたＳＳＩＤを発信しているアクセスポイントとして機能しているストレージサーバの検索を行う（ステップＳ２４）。発見された場合（ステップＳ２５；ＹＥＳ）、接続要求部１０８ｂにより、復元された通信制御情報（ＳＳＩＤ、Ｋｅｙ）を用いて接続要求を送信する（ステップＳ２６）。
【００５４】
無線処理部１０８において、接続が拒絶された場合（ステップＳ２７；ＮＯ）、表示制御部１０５ｂは、表示パネル１０５ａに「接続を拒否されました」等のエラーメッセージを表示させ（ステップＳ３２）、本処理は終了する。
【００５５】
一方、無線処理部１０８において、接続が成功し、接続確立した場合（ステップＳ２７；ＹＥＳ）、無線処理部１０８は、通信制御情報のレシーバＩＤを送信する（ステップＳ２８）。接続許可通知が受信されると（ステップＳ２９；ＹＥＳ）、無線処理部１０８は、送信されたデータを受信する（ステップＳ３０）。受信が終了し、一定の時間が経過したか、切断要求を受けると、無線処理部１０８は、切断処理を行い（ステップＳ３１）、本処理は終了する。なお、ステップＳ２９において、所定時間以上経過しても接続許可通知が受信されない場合（ステップＳ２９；ＮＯ）、無線処理部１０８は切断処理を行い、本処理は終了する。
【００５６】
このように、撮像装置１Ａをデータ送信側（第１の電子機器）とし、撮像装置１Ｂをデータ受信側（第２の電子機器）としてデータ送受信を行う場合、撮像装置１Ａが上記の送信側処理を実行し、撮像装置１Ｂが上記の受信側処理を実行することにより、以下の動作手順でデータ送受信が行われる。
まず、撮像装置１Ａにおいて、通信制御情報を規定するための鍵情報を生成し、生成された鍵情報を表示パネル１０５ａに表示し（図６参照）、生成された鍵情報からＳＳＩＤ、Ｋｅｙ、レシーバＩＤを生成する。そして、生成されたＳＳＩＤを発信（ブロードキャスト）する。
【００５７】
ここで、撮像装置１Ａのユーザは、表示パネル１０５ａに表示された鍵情報を撮像装置１Ｂのユーザに見せることによって、鍵情報を撮像装置１Ｂのユーザに直接伝えることができる。
撮像装置１Ｂのユーザは、撮像装置１Ａの表示パネル１０５ａに表示された鍵情報を見て、撮像装置１Ｂの操作入力部１０７を操作して鍵情報入力画面Ｇ２から鍵情報を入力する。
【００５８】
撮像装置１Ｂにおいて、操作入力部１０７のタッチパネルにより鍵情報の入力操作が検出されると、入力された鍵情報から、当該鍵情報により規定されたＳＳＩＤ、Ｋｅｙ、レシーバＩＤを復元し、復元されたＳＳＩＤ、Ｋｅｙ、レシーバＩＤを用いて撮像装置１Ａに接続要求を行う。
【００５９】
撮像装置１Ａにおいては、撮像装置１Ｂからの接続要求を受信すると、撮像装置１Ｂから送信されたＳＳＩＤ、Ｋｅｙ、レシーバＩＤがそれぞれ鍵情報から生成されたＳＳＩＤ、Ｋｅｙ、レシーバＩＤと一致するか否かを判断し、一致した場合に、撮像装置１Ｂとの接続を確立する。
ここで、撮像装置１Ｂでは、撮像装置１Ａで生成され、表示された鍵情報を入力し、この入力された鍵情報からＳＳＩＤ、Ｋｅｙ、レシーバＩＤを復元しているので、双方のＳＳＩＤ、Ｋｅｙ及びレシーバＩＤは一致し、撮像装置１Ａと撮像装置１Ｂは接続を確立して円滑にデータ送受信を行うことができる。
そして、撮像装置１Ａにおいて撮像装置１Ｂに送信対象のデータを送信し、撮像装置１Ｂにおいてデータを受信して、回線の切断を行う。
【００６０】
なお、送信側を撮像装置１Ｂ、受信側を撮像装置１Ａとした場合、上記の撮像装置１Ａと１Ｂを入れ替えた動作が行われ、撮像装置１Ｂから撮像装置１Ａにデータを送信し、撮像装置１Ａでデータを受信することができる。
【００６１】
以上説明したように、無線接続システム１００において、データ送信側の撮像装置１は、通信制御情報を規定する簡単な鍵情報（例えば、４桁の数字）を第１の生成部１０９ａにより生成して表示パネル１０５ａに表示し、他の撮像装置１等の外部電子機器から上記鍵情報により規定された通信制御情報と一致する情報に基づいて接続要求が行われた場合に、接続許可部１０８ａは、接続を許可する。
データ受信側の撮像装置１において、データ送信側の撮像装置１に表示された鍵情報が入力されると、復元部１１０ａは鍵情報から通信制御情報を復元し、復元した通信制御情報に基づいて接続要求部１０８ｂによりデータ送信側の撮像装置１に接続要求を行う。
【００６２】
従って、データ受信側の撮像装置１のユーザがデータ送信側の撮像装置１の画面上に表示された簡単な鍵情報（例えば、４桁の数字）をデータ受信側の撮像装置１に入力するだけで、容易に撮像装置１間で無線接続を確立することができる。即ち、データ送信側及びデータ受信側のユーザは、無線ＬＡＮやＳＳＩＤなどの知識を必要とせずに、また、ＳＳＩＤ、Ｋｅｙ、レシーバＩＤ等の桁数の多い複雑な通信制御情報をキーボード等を用いて入力することなしに、受信側のユーザの簡単な操作で容易に撮像装置１間の無線接続を確立させることができる。また、鍵情報は操作入力部１０７から行えばよく、撮像装置１間で二次元バーコードを表示したりそれを撮像したりする必要はないので、外部環境やデバイスの影響が少なく確実な接続を行うことができる。
また、鍵情報は、接続を行うたびにランダムに作成されるものであり、通信制御情報も鍵情報に応じて毎回変更されるので、充分なセキュリティを確保することができる。
また、鍵情報は、通信をする相手に表示パネル１０５ａを見せて直接知らせる態様であるので、鍵情報が他人に漏洩することを低減することができる。
【００６３】
以上、本実施形態について説明したが、上記実施形態における記述内容は、本発明に係る通信システムの好適な一例であり、これに限定されるものではない。
【００６４】
例えば、上記実施形態においては、第１の生成部１０９ａは、ＳＳＩＤを規定する鍵情報の選択肢として１〜９の数字を用意し、Ｋｅｙを規定する鍵情報の選択肢として００〜９９の数字を用意し、レシーバＩＤを規定する鍵情報の選択肢として１〜９の数字を用意し、それぞれの選択肢からランダムに数字を選択し、選択された情報を組み合わせて全体の鍵情報を生成することとして説明したが、これに限定されるものではない。
例えば、選択肢として用いる情報は、数字に限らず、文字、符号、図形、記号又はこれらの組み合わせの何れであってもよい。ＳＳＩＤ、Ｋｅｙ、レシーバＩＤのそれぞれを文字、符号、図形、記号又はこれらの組み合わせで表して鍵情報とすることで、データ受信側の撮像装置は、ＳＳＩＤ、Ｋｅｙ、レシーバＩＤ等の桁数の多い複雑な通信制御情報をキーボードやタッチパネルを用いて入力することなく、簡単な数個の鍵情報を入力するだけで、容易にデータ送信側の撮像装置１と接続を確立することができる。
【００６５】
また、上記実施形態においては、鍵情報を生成した後、生成された鍵情報に基づいて通信制御情報を生成することとして説明したが、通信制御情報から鍵情報を生成することしてもよい。
【００６６】
また、上記実施形態においては、撮像装置を例にとり説明したが、本発明を適用した電子機器としては、これに限定されず、例えば、携帯電話機、スマートフォン、ＰＣ（Personal Computer）等を適用可能である。また、本発明は、撮像装置同士の無線接続を例にとり説明したが、同種の電子機器同士の無線接続に限らず、異なる種類の電子機器（例えば、撮像装置とスマートフォン）での無線接続に適用してもよい。即ち、同じアルゴリズムの無線処理部１０８、送信側処理部１０９、及び受信側処理部１１０の各部を備える電子機器間であれば、異なる種類の電子機器間であっても容易に無線接続可能となる。
【００６７】
また、上記実施形態においては、出力手段を表示パネル１０５ａとして説明したが、例えば、出力手段を印刷装置とし、鍵情報を印刷装置によりプリント出力することとしてもよい。
【００６８】
また、上記実施形態においては、第１の生成手段（生成手段）、第２の生成手段、接続許可手段、接続要求手段、出力制御手段としての機能は、中央制御部１０１の制御下において、それぞれ第１の生成部１０９ａ、第２の生成部１０９ｂ、接続許可部１０８ａ、接続要求部１０８ｂ、表示制御部１０５ｂが駆動することにより実現される構成としたが、これに限らず、例えば、中央制御部１０１のＣＰＵによって所定のプログラムが実行されることにより実現される構成としてもよい。
例えば、中央制御部１０１のＣＰＵが第１の生成部１０９ａ、第２の生成部１０９ｂ、接続許可部１０８ａ、接続要求部１０８ｂ、表示制御部１０５ｂの各部の機能と同様の機能を実現する処理を実行するためのプログラムをプログラムメモリ（図示略）に記憶しておく構成としてもよい。そして、中央制御部１０１のＣＰＵとこのプログラムとの協働により、第１の生成手段（生成手段）、第２の生成手段、接続許可手段、接続要求手段、及び出力制御手段としての機能を実現する構成としてもよい。
【００６９】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７０】
その他、通信システムを構成する各装置の細部構成及び細部動作に関しても、発明の趣旨を逸脱することのない範囲で適宜変更可能である。
【００７１】
(付記)
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
＜請求項１＞
第１の電子機器と第２の電子機器が無線により直接接続を行う無線接続システムであって、
前記第１の電子機器は、
通信制御情報を規定するための情報であり、前記第２の電子機器における任意の操作により入力が可能な、文字、符号、図形、記号又はそれらの組み合わせにより構成される鍵情報を生成する第１の生成手段と、
前記第１の生成手段によって生成された鍵情報を出力する出力手段と、
前記通信制御情報と一致する情報に基づいて接続要求が行われた場合に、接続を許可する接続許可手段と、
を備え、
前記第２の電子機器は、
任意の操作により情報を入力する入力手段と、
前記第１の電子機器の出力手段により出力された鍵情報と同じ情報の入力を、前記入力手段による任意の操作入力により検出する入力検出手段と、
前記入力検出手段により入力検出された情報から前記鍵情報により規定された通信制御情報を復元する復元手段と、
前記復元手段によって復元された通信制御情報を用いて前記第１の電子機器に接続要求を行う接続要求手段と、
を備えることを特徴とする無線接続システム。
＜請求項２＞
前記出力手段は、表示手段を含むことを特徴とする請求項１に記載の無線接続システム。
＜請求項３＞
前記第１の電子機器は、前記第１の生成手段によって生成された鍵情報から通信制御情報を生成する第２の生成手段を備えることを特徴とする請求項１又は２に記載の無線接続システム。
＜請求項４＞
前記通信制御情報には、前記第１の電子機器と前記第２の電子機器で共有する共有情報が含まれることを特徴とする請求項１乃至３の何れか一項に記載の無線接続システム。
＜請求項５＞
前記通信制御情報には、前記第１の電子機器を識別するための第１の識別情報と前記第２の電子機器を識別するための第２の識別情報との少なくとも一方が含まれることを特徴とする請求項１乃至４の何れか一項に記載の無線接続システム。
＜請求項６＞
前記第１の生成手段は、予め複数種類用意された情報の中から無作為に選択することにより、前記通信制御情報を規定するための鍵情報を生成することを特徴とする請求項１乃至５の何れか一項に記載の無線接続システム。
＜請求項７＞
外部電子機器と無線により直接接続を行う電子機器であって、
通信制御情報を規定するための情報であり、前記外部通信機器における任意の操作により入力が可能な、文字、符号、図形、記号又はそれらの組み合わせにより構成される鍵情報を生成する第１の生成手段と、
前記第１の生成手段によって生成された鍵情報を出力する出力手段と、
前記外部電子機器から前記通信制御情報と一致する情報に基づいて接続要求が行われた場合に、接続を許可する接続許可手段と、
を備えることを特徴とする電子機器。
＜請求項８＞
前記第１の生成手段によって生成された鍵情報から通信制御情報を生成する第２の生成手段を備えることを特徴とする請求項７に記載の電子機器。
＜請求項９＞
前記第１の生成手段は、予め複数種類用意された情報の中から無作為に選択することにより、前記通信制御情報を規定するための鍵情報を生成することを特徴とする請求項７又は８に記載の電子機器。
＜請求項１０＞
第１の電子機器と第２の電子機器が無線により直接接続を行う無線接続方法であって、
前記第１の電子機器は、
通信制御情報を規定するための情報であり、前記第２の電子機器における任意の操作により入力が可能な、文字、符号、図形、記号又はそれらの組み合わせにより構成される鍵情報を生成する生成ステップと、
この生成ステップにて生成された鍵情報を出力する出力ステップと、
を含み、
前記第２の電子機器は、
前記第１の電子機器により出力された鍵情報と同じ情報の入力を、入力手段による任意の操作入力により検出する入力検出ステップと、
この入力検出ステップにて入力が検出された情報から前記鍵情報により規定された通信制御情報へ復元する復元ステップと、
この復元ステップにて復元された通信制御情報を用いて前記第１の電子機器に接続要求を行う接続要求ステップと、
を含み、
更に前記第１の電子機器は、
前記鍵情報により規定された通信制御情報と一致する情報に基づいて接続要求が行われた場合に、接続を許可する許可ステップ、
を含むことを特徴とする無線接続方法。  
＜請求項１１＞
外部電子機器と無線により直接接続を行う電子機器における無線接続方法であって、
通信制御情報を規定するための情報であり、前記外部電子機器における任意の操作により入力が可能な、文字、符号、図形、記号又はそれらの組み合わせにより構成される鍵情報を生成する生成ステップと、
この生成ステップにて生成された鍵情報を出力する出力ステップと、
前記外部電子機器から前記通信制御情報と一致する情報に基づいて接続要求が行われた場合に、前記外部電子機器の接続を許可する許可ステップと、
を含むことを特徴とする無線接続方法。
＜請求項１２＞
外部電子機器と無線により直接接続を行う電子機器に用いられるコンピュータを、
通信制御情報を規定する情報であり、前記外部電子機器における任意の操作により入力が可能な、文字、符号、図形、記号又はそれらの組み合わせにより構成される鍵情報を生成する生成手段、
前記生成手段によって生成された鍵情報を出力手段に出力させる出力制御手段、
前記外部電子機器から前記通信制御情報と一致する情報に基づいて接続要求が行われた場合に、前記外部電子機器の接続を許可する接続許可手段、
として機能させることを特徴とするプログラム。
【符号の説明】
【００７２】
１００  無線接続システム
１  撮像装置
１Ａ  撮像装置
１Ｂ  撮像装置
１０１  中央制御部
１０２  メモリ
１０３  撮像部
１０３ａ  レンズ部
１０３ｂ  電子撮像部
１０３ｃ  撮像制御部
１０４  画像データ処理部
１０５  表示部
１０５ａ  表示パネル
１０５ｂ  表示制御部
１０６  記録媒体制御部
１０７  操作入力部
１０８  無線処理部
１０８ａ  接続許可部
１０８ｂ  接続要求部
１０９  送信側処理部
１０９ａ  第１の生成部
１０９ｂ  第２の生成部
１０９ｃ  通信制御情報設定部
１１０  受信側処理部
１１０ａ  復元部
Ｍ  記録媒体
【図１】
2014049920.tif 000003
【図２】
2014049920.tif 000004
【図３】
2014049920.tif 000005
【図４】
2014049920.tif 000006
【図５】
2014049920.tif 000007
【図６】
2014049920.tif 000008
【図７】
2014049920.tif 000009